(57)【要約】【課題】  バンドを時計外装組立に容易に着脱できる腕時計を提供することにある。【解決手段】  時計外装組立のバンド連結部11に、この連結部の裏面11a及び端面11bに夫々開放するとともに端面11bの開放端より奥が広く形成された連結溝12と、この溝に開放する係止溝15とを夫々設ける。連結溝12と合致した形状をなして連結溝12に着脱自在に嵌合される嵌合部21を、バンド連結部11に着脱されるバンド３の端部に設ける。嵌合部21が連結溝12に嵌合された状態で係止溝15に向かい合う対向面21bから出没して係止溝15に挿脱される係止部材29を嵌合部21に取付ける。嵌合部21が連結溝12に嵌合された状態でバンド連結部11の裏面11aに露出する嵌合部21の露出面に配置される操作部26を有する係脱操作体25を嵌合部21に取付ける。係脱操作体25に係止部材29を連結する。【選択図】      図３
2005265754.tif 000002
【特許請求の範囲】
【請求項１】
時計外装組立のバンド連結部に、この連結部の表面又は裏面及び端面に夫々開放するとともに前記端面の開放端より奥が広く形成された連結溝と、この連結溝に開放する係止溝とを夫々設け、
前記連結溝に着脱自在に嵌合される嵌合部を、前記バンド連結部に着脱されるバンドの端部に設け、
前記嵌合部が前記連結溝に嵌合された状態で前記係止溝に向かい合う対向面から出没して前記係止溝に挿脱される係止部材を前記嵌合部に取付け、
前記嵌合部が前記連結溝に嵌合された状態で前記バンド連結部の裏面又は表面に露出する前記嵌合部の露出面に配置される操作部を有する係脱操作体を前記嵌合部に取付け、
前記係脱操作体に前記係止部材を連結した腕時計。
【請求項２】
前記係止溝と、前記係脱操作体と、前記係止部材とを夫々複数設けた請求項１に記載の腕時計。
【請求項３】
前記係止部材の厚みを前記バンド連結部の厚み方向に沿う前記係止溝の寸法より大きくするとともに、前記係止部材の縁部の表裏両面にテーパを設けて、この縁部を先細に形成した請求項１又は２に記載の腕時計。
【請求項４】
前記バンド連結部が前記嵌合部を表側から覆うカバー部位を有している請求項１から３の内のいずれか１項に記載の腕時計。
【発明の詳細な説明】
【技術分野】
【０００１】
本発明は、時計外装組立にバンドが着脱自在に連結された腕時計に関する。
【背景技術】
【０００２】
従来、バンドは、その端部に設けた軸挿通部に挿通されたばね棒を用いて、時計外装組立に着脱自在に取付けられている（例えば、特許文献１参照。）。
【０００３】
詳しくは、ばね棒は、その両端に可動ピンを有し、これら可動ピンを互いに離れる方向に付勢するコイルばねを内蔵してなる。このばね棒の一方の可動ピンを時計外装組立の対をなすかん足に夫々設けられた止孔の一方に挿入した後、他方の可動ピンを他方の止孔に挿入することによって、バンドが時計外装組立に取付けられる。この逆に、可動ピンに設けた鍔からなる係合部に専用の工具を引っ掛けて、可動ピンをコイルばねに抗して動かして、このピンを止孔から引き出すことにより、バンドを時計外装組立から取外すことができる。
【０００４】
又、従来、バンド交換を容易にするために、スリット付きの挿嵌孔をバンドのエンドピースに設け、この挿嵌孔に、スリットに通される引具を有したばね棒を挿入して固定し、このばね棒を介してバンドを時計外装組立に着脱自在に取付けた腕時計が知られている（例えば、特許文献２参照。）。
【０００５】
この特許文献２の腕時計で、時計外装組立にバンドを取付けるには、まず、時計外装組立の対をなす脚杆（かん足）に夫々設けられた止孔の一方に、ばね棒が有した一端の固定ピンを挿入する。次に、ばね棒のばねで付勢されている他方の可動ピンを引具によってばね棒の他端から引っ込めて、エンドピースを前記一対の脚杆（かん足）間に配置する。最後に、引具の拘束を外して前記可動ピンを他方の止孔に挿入することによって、バンドを時計外装組立に取付ける。この逆に、前記一対の脚杆（かん足）間で引具を操作して、可動ピンを前記他方の止孔から引き出すとともにばね棒の他端から引っ込めてから、前記一方の止孔から前記固定ピンを引抜くことにより、バンドを時計外装組立から外すことができる。
【特許文献１】特開平１１−１２７９２１号公報（段落0009、図１−図４）
【特許文献２】特開平１１−１４６８０４号公報（段落0005−0008、図１−図２）
【発明の開示】
【発明が解決しようとする課題】
【０００６】
特許文献１では、バンドを時計外装組立に着脱する際に、時計外装組立の対をなすかん足間のスペース、つまり、かん股の中でも、ばね棒の大径軸部の軸端とこれに至近距離で対向しているかん足との間の限定された僅かな隙間内で作業をしなくてはならず、かん足が邪魔となって、バンドを着脱するための操作性が悪い。しかも、この着脱操作では、時計用ドライバやピンセットなどの専用工具が必要であり、こうした事情から一般使用者が手軽に時計外装組立に対してバンドを着脱することは困難である。
【０００７】
特許文献２では、バンドを時計外装組立に着脱する際に、かん股の中でも、ばね棒の大径軸部とかん足との間の限定された僅かな隙間ではないが、かん股の奥の面とこの面に至近距離で対向しているバンドのエンドピースとの間の細長い隙間内で、作業をしなくてはならない。このため、ばね棒に引具を設けたことである程度の作業上の改善は認められるものの、作業空間が時計外装組立により規定されて狭いことには変わりがなく、かん股の奥の面が邪魔となって、バンドを着脱するための操作性がよくない。
【０００８】
本発明の目的は、バンドを時計外装組立に容易に着脱できる腕時計を提供することにある。
【課題を解決するための手段】
【０００９】
前記課題を解決するために、本発明は、時計外装組立のバンド連結部に、この連結部の表面又は裏面及び端面に夫々開放するとともに前記端面の開放端より奥が広く形成された連結溝と、この連結溝に開放する係止溝とを夫々設け、前記連結溝に着脱自在に嵌合される嵌合部を、前記バンド連結部に着脱されるバンドの端部に設け、前記嵌合部が前記連結溝に嵌合された状態で前記係止溝に向かい合う対向面から出没して前記係止溝に挿脱される係止部材を前記嵌合部に取付け、前記嵌合部が前記連結溝に嵌合された状態で前記バンド連結部の裏面又は表面に露出する前記嵌合部の露出面に配置される操作部を有する係脱操作体を前記嵌合部に取付け、前記係脱操作体に前記係止部材を連結したものである。
【００１０】
この発明では、バンドの端部に設けた嵌合部をバンド連結部の連結溝に厚み方向に沿って嵌合してから、嵌合部に取付けた係脱操作体の操作部を操作して、係脱操作体に連結された係止部材を、バンド連結部の係止溝に入り込ませることで、バンドを時計外装組立に取付けることができる。又、この逆の手順でバンドを時計外装組立から外すことができる。こうしたバンドの着脱において、連結溝と嵌合部とは形状が大きいので、互いの嵌め合わせ及びその解除が容易である。しかも、バンド連結部に対する嵌合部の着脱はこれらの厚み方向に沿ってできる。加えて、係脱操作体の操作部が、バンド連結部の裏面又は表面に露出した嵌合部の露出面に配置されているので、操作部を操作する際に、時計外装組立のバンド連結部が邪魔となることがなく、広い作業空間で操作部を操作できる。
【００１１】
又、本発明の好ましい形態では、前記係止溝と、前記係脱操作体と、前記係止部材とを夫々複数設けている。この発明では、複数箇所では係止溝に係止部材を入り込ませて、バンド連結部にバンドの嵌合部を係止できるので、バンドの取付け状態をより安定させることが可能である。
【００１２】
又、本発明の好ましい形態では、前記係止部材の厚みを前記バンド連結部の厚み方向に沿う前記係止溝の寸法より大きくするとともに、前記係止部材の縁部の表裏両面にテーパを設けて、この縁部を先細に形成している。この発明では、バンド連結部、係止溝、バンドの嵌合部、係脱操作体、及び係止部材の部品寸法や位置等にばらつきがあっても、係止部材を係止溝に確実に入り込ませて、バンドを時計外装組立に取付けることができる。
【００１３】
又、本発明の好ましい形態では、前記バンド連結部が前記嵌合部を表側から覆うカバー部位を有している。この発明では、腕時計を人体の腕に装着した時に、連結溝及び嵌合部並びに操作部の視認を、これらを覆い隠すバンド連結部のカバー部位で防止できるので、腕時計の外観を好ましいものとできる。
【発明の効果】
【００１４】
本発明によれば、バンドを時計外装組立に対して着脱する際に、時計外装組立が邪魔となって作業空間が限定されないので、容易にバンドを着脱できる腕時計を提供できる。
【発明を実施するための最良の形態】
【００１５】
図１〜図６を参照して本発明の第１実施形態を説明する。
【００１６】
図１に示す腕時計１は、時計外装組立２にバンド３を取付けている。時計外装組立２は、例えば金属製の胴５の表面に文字板を視認させる透明部材例えばガラス６を装着するとともに、胴５の裏面に図示しない裏蓋を着脱可能にねじ込んだ構成を備えている。この時計外装組立２内には、文字板及び図示しない時計ムーブメント等が収容されている。
【００１７】
時計外装組立２の胴５は、文字板の６時及び１２時側に対応するバンド連結部１１を一体に有しており、これらバンド連結部１１の夫々には後述のようにバンド３が着脱可能に取付けられている。バンド３は、胴５と同じ材料、例えば胴５と同じ金属製であって、複数のバンド駒３ａを図示しない棒状の駒連結部材を介して連結されている。隣接するバンド駒３ａは駒連結部材を中心に回動可能に連結されている。バンド駒３ａには、胴５と同じ金属、好ましくは色調を同じにした金属を用いるとよい。なお、図１中符号３ｂはバンド３のフック受けを示し、符号３ｃはフック受け３ｂに係脱自在なバンド３のフックを示している。人体の腕へのバンド３の巻き付け状態で、フック３ｃをフック受け３ｂに係止させることにより、腕へのバンド３の巻き付け状態が保持される。
【００１８】
バンド駒３ａの内で、時計外装組立２側の端部に位置するバンド駒３Ａは、他のバンド駒３ａとは異なり嵌合部２１を有してバンド連結部１１に着脱自在に接続される連結駒として機能する。
【００１９】
次に、バンド連結部１１及び嵌合部２１等を備えて、バンド３を時計外装組立２に着脱するための構成を説明する。
【００２０】
図２〜図６に示すようにバンド連結部１１には連結溝１２と係止溝１５とが夫々設けられている。図４及び図６に示すようにバンド連結部１１は、例えば表側に位置するカバー部位１１ｃを有している。
【００２１】
連結溝１２は、バンド連結部１１の裏面１１ａ及び端面１１ｂに夫々開放して設けられている。連結溝１２の奥部は、前記端面１１ｂに開放された連結溝１２の開放端よりも広く形成された形状をなし、例えばバンド連結部１１を裏側から見た場合に略Ｔ字状に形成されている。図３中符号Ａはバンド連結部１１の前記開放端の幅を示し、Ｂはバンド連結部１１の奥部の幅を示している。更に、図３及び図５中符号１２ａは前記端面１１ｂと平行な連結溝１２の奥面を示しており、１２ｂは連結溝１２の広がった奥部の一部を画する面であって、この面１２ｂは例えば奥面１２ａと平行である。
【００２２】
係止溝１５は連結溝１２に臨んでバンド連結部１１に形成されている。この係止溝１５は、平面視弦月形状をなしており、その形状の弦に相当する部分を例えば奥面１２ａに開放させて設けられている。
【００２３】
バンド駒３Ａの嵌合部２１は、連結溝１２と合致した形状例えば略Ｔ字状をなしていて、この連結溝１２にバンド連結部１１の厚み方向に沿って着脱自在に嵌合できる。なお、図３及び図５中符号２１ａは嵌合部２１の張出し部を示している。この張出し部２１ａは、互いに平行な奥面１２ａと面１２ｂとの間に着脱自在に嵌合される。又、図３〜図６中符号２１ｂは、嵌合部２１が連結溝１２に嵌合された状態で、係止溝１５が開放された連結溝１２の奥面１２ａと至近距離で向かい合う対向面を示している。
【００２４】
嵌合部２１にはその対向面２１ｂに開放する例えば半円形状の逃げ穴２２が形成されている。更に、嵌合部２１が連結溝１２に嵌合された状態で、連結溝１２外に露出する嵌合部２１の一面、具体的には本実施形態では嵌合部２１の裏面には、例えばＵ時形状をなす凹部２３が形成されている。
【００２５】
嵌合部２１には、係脱操作体２５と係止部材２９とが取付けられている。係脱操作体２５は、操作部２６と軸２７とからなる。
【００２６】
軸２７は、凹部２３の底壁を貫通し逃げ穴２２に達していて、嵌合部２１に例えば回転可能に取付けられている。操作部２６は、例えば円形であって、その中央部を軸２７に連結して、凹部２３に収容されている。操作部２６は係止部材２９を例えば回転運動により往復移動させるための部材である。この操作部２６は、好ましい例として、時計用ドライバーやピンセット等の専用の工具を用いることなく、日常的に普及している物品（例えば硬貨、ねじ回し用ドライバー等）を使用して回転操作できるように硬貨の縁部が入り込むことが可能な溝２６ａを有している。
【００２７】
軸２７の逃げ穴２２に位置する部分は断面角形に形成されていて、この部分には長円状の平板からなる係止部材２９の長手方向一端部が連結されている。係止部材２９は、操作部２６を回転させることによって、図５及び図６に例示するように逃げ穴２２内に没入する没入位置と、図３及び図４に示すように自由端部が対向面２１ｂから突出して係止溝１５に食い込む突出位置とにわたって移動される。
【００２８】
図４及び図６に示すように係止部材２９の板厚は、係止溝１５の高さ（バンド連結部１１の厚み方向に沿う寸法）より厚い。この係止部材２９の縁部の内、少なくとも前記自由端部の縁部２９ａの表裏両面には夫々テーパが設けられている。これにより、縁部２９ａ（図４参照）は先細に形成されている。
【００２９】
バンド３は以下の手順で時計外装組立２に取付けられる。
【００３０】
まず、時計外装組立２を裏返しにした状態で、上方に向けて開放するバンド連結部１１の連結溝１２に対しその上方からバンド駒３Ａの嵌合部２１を嵌め込む。この嵌め込みは係止部材２９を逃げ穴２２内に没入させた状態で実施する。嵌合部２１が連結溝１２に嵌合された状態を図５及び図６に示す。
【００３１】
次に、硬貨などの物品を用いて係脱操作体２５を図５中反時計回りに略９０°回転させる。これにより、係止部材２９が逃げ穴２２から突出してこの逃げ穴２２に至近距離で対向している係止溝１５に食い込みながら嵌挿して、バンド連結部１１に嵌合部２１が固定される。こうしてバンド３が時計外装組立２に取付けられた状態を図３及び図４に示す。
【００３２】
バンド３が取付けられた状態では、連結溝１２の奥面１２ａとこれに至近距離で対向している嵌合部２１の対向面２１ｂ、及びバンド連結部１１の端面１１ｂとこれに至近距離で対向するバンド駒３Ａの肩面３ｄ（図３から図６参照）等によって、バンド３は図３及び図５中矢印Ｃ方向の動きを規制される。そして、至近距離で対向している連結溝１２の面１２ｂと嵌合部２１の張出し部２１ａとの引っ掛かりによって、バンド３は図３及び図５中矢印Ｄ方向の動きを規制される。このようにバンド３は文字板の６時−１２時を結ぶ方向に沿う動きを規制される。
【００３３】
又、互いに嵌合された連結溝１２と嵌合部２１との至近距離で対向している幅方向の面により、バンド３は文字板の３時−９時を結ぶ方向（図３及び図５中矢印Ｅ方向及び矢印Ｆ方向）に沿う動きを規制される。更に、嵌合部２１を覆っているバンド連結部１１のカバー部位１１ｃによって、バンド３の嵌合部２１が上方（図４及び図６中矢印Ｇ方向）へ動くことも規制される。しかも、係止部材２９が係止溝１５に嵌挿されて引っ掛かっていることによって、バンド３の嵌合部２１が下方（図４中矢印Ｈ方向）へ動くことも規制される。
【００３４】
その上、既述のように係脱操作体２５の回転操作により係止部材２９は係止溝１５に食い込んで嵌挿されるので、この挙動に伴ない嵌合部２１の張出し部２１ａが連結溝１２の面１２ｂに密接される。これにより、連結溝１２に嵌合された嵌合部２１のがたつきが抑制される。これとともに、バンド駒３Ａが嵌合部２１の張出し部２１ａを支点としてバンド連結部１１の裏側にかしぐような外力を受けた場合に、既述のように至近距離で対向している奥面１２ａと対向面２１ｂ、端面１１ｂと肩面３ｄ、及び面１２ｂと張出し部２１ａとが、夫々の個所で競り合って、バンド連結部１１に対する嵌合部２１のかしぎ運動が抑制される。この結果、係止溝１５への係止部材２９の嵌挿状態が維持される。
【００３５】
したがって、バンド連結部１１に対してバンド３の嵌合部２１が、６時−１２時を結ぶ方向に沿う動き、３時−９時を結ぶ方向に沿う動き、及びバンド連結部１１の厚み方向に沿う動きを、いずれも規制された状態に、バンド連結部１１に取付けられたバンド３を保持することができる。
【００３６】
バンド３は以下の手順で時計外装組立２から取外すことができる。
【００３７】
まず、時計外装組立２を裏返しにした状態で、上方に向けて露出したバンド駒３Ａの嵌合部２１の上方から硬貨などの物品を用いて係脱操作体２５を図３中反時計回りに略９０°回転させる。これにより、図５及び図６に示すように係止部材２９が係止溝１５から外れて、バンド連結部１１に対する嵌合部２１の固定が解除されるとともに、係止部材２９が逃げ穴２２内に収容される。次に、バンド３の嵌合部２１をバンド連結部１１の連結溝１２の上方に引き外す。これにより、バンド３を時計外装組立２から外すことができる。
【００３８】
ところで、連結溝１２と嵌合部２１との形状は、従来のばね棒のピンとこれが挿脱される小穴に比較して遥かに大きい。このため、以上説明した時計外装組立２に対するバンド３の着脱操作において、連結溝１２と嵌合部２１とを互いに嵌め合わせる操作、及びこの嵌め合わせを解除して互いに分離する操作がし易い。その上、連結溝１２への嵌合部２１の着脱に際して、ばね棒を用いた場合のようにばねの付勢力に抗しながら作業をする必要がないだけではなく、バンド連結部１１及び嵌合部２１の厚み方向に沿って作業ができる。加えて、係脱操作体２５の操作部２６が、バンド連結部１１の裏面に露出した嵌合部２１の露出面に配置されているので、操作部２６を回転操作する際に時計外装組立２のバンド連結部１１が邪魔となることがなく、広い作業空間で操作部２６を操作できる。
【００３９】
したがって、この腕時計１ではバンド３を時計外装組立２に容易に着脱できる。これにより、腕時計１を生産する上での組立て作業性を向上できる。
【００４０】
しかも、以上説明したバンド３の着脱において、操作部２６は、専用工具を必要とせずに硬貨などを用いて簡単に回転操作できるので、腕時計１の使用者においても既述のバンド着脱操作を簡単に行うことができる。このため、嵌合部２１を共通の構成として有し、かつ、互いの色や形状などが異なった種々のデザインのバンド３を予め用意して置くことにより、使用者は用意されたバンド群の中から任意のバンドを選択して、それを時計外装組立２に取付けて使用することが可能となる。このように所望のバンドを時計外装組立２に適時簡易に交換できることにより、共通の時計外装組立２と選択されたバンド３との組合せによって、腕時計１の意匠を種々に異ならせて使用することが可能である。
【００４１】
又、係止部材２９は係止溝１５より厚く、その縁部２９ａが表裏両面のテーパにより先細に形成されているので、バンド連結部１１、係止溝１５、バンド３の嵌合部２１、係脱操作体２５、及び係止部材２９等の部品寸法や位置等にばらつきがあっても、係止部材２９を係止溝１５に確実に入り込ませることができる。これにより、バンド３を時計外装組立２に確実に取付けることができる。
【００４２】
又、バンド連結部１１はこれに取付けられたバンド３の嵌合部２１を表側から覆うカバー部位１１ｃを有している。このため、腕時計１を人体の腕に装着した時に、連結溝１２及び嵌合部２１並びに操作部２６の視認を、これらを覆い隠したカバー部位１１ｃで防止でき、腕時計１の外観を好ましいものとできる。しかも、図１及び図２に示すようにバンド連結部１１とバンド駒３Ａとが見かけ上一体的に連続するように設けられる点でも、外観上好ましい。
【００４３】
図７は本発明の第２実施形態を示している。この実施形態は、基本的には第１実施形態と同じであるので、第１実施形態と同じ部分については同じ符号を付して説明を省略し、以下、第１実施形態とは異なる構成を説明する。
【００４４】
第２実施形態では、嵌合部２１が嵌合されていない状態では対向する連結溝１２の溝側面１２ｃを、これらの相互間隔が端面１１ｂに近づくに従い次第に狭くなるテーパ面とすることにより、連結溝１２をいわゆるあり溝状構造、言い換えれば、入り口より奥が広いほぞ穴としている。これにより、連結溝１２をその奥部が端面１１ｂに開放された開放端よりも広く形成された形状としている。更に、係止溝１５は、複数例えば一対の溝側面１２ｃに開放して夫々設けられている。
【００４５】
バンド駒３Ａの嵌合部２１は、連結溝１２の形状に合致して根元がくびれた凸部形状をなし、いわゆるありほぞ形状に作られている。嵌合部２１が連結溝１２に嵌合された状態で、溝側面１２ｃ及び係止溝１５に至近距離で対向する対向面２１ｃは、嵌合部２１のテーパを有した一対の面からなる。嵌合部２１には係止溝１５の数に対応して複数例えば一対の係脱操作体２５が取付けられている。これらの係脱操作体２５の係止部材２９は、前記対向面２１ｃから突没して係止溝１５に個別に挿脱される。
【００４６】
以上説明した点以外は、図７に示されない構成を含めて第１実施形態と同じである。したがって、この第２実施形態においても、第１実施形態と同様に、バンド３を時計外装組立２に対して着脱する際に、時計外装組立２が邪魔となって作業空間が限定されることがないので、容易にバンド３を着脱できる腕時計１を提供できる。しかも、複数箇所の係止溝１５に係止部材２９を夫々入り込ませて、バンド連結部１１にバンド３の嵌合部２１を係止できるので、バンド３の取付け状態をより安定させることが可能である。
【００４７】
なお、本発明は前記両実施形態には制約されない。例えば、本発明において、操作部２６が回転操作される構成においては、係止部材２９を偏心円板として、その中心か外れた偏心位置に係脱操作体２５の軸２７を連結してもよい。又、操作部２６の回転操作に伴い溝２６ａの一端が位置合わせされる点や線等の刻印を、操作部２６の周囲に設けて、この刻印を、係脱操作体２５の回転操作により動かされる係止部材２９の位置が視覚的に分かるようにするための目安とすることができる。
【００４８】
又、本発明は回転操作される係脱操作体に代えて次の構成を採用することも可能である。例えば、対向面２１ｂ又は対向面２１ｃから突没できる係止部材２９を、この往復移動をガイドするように形成された逃げ穴２２にスライド可能に収容するとともに、この係止部材２９を、逃げ穴２２に収容したばね等の付勢体で、対向面２１ｂ又は対向面２１ｃから突出する方向に付勢する。このため、操作部２６を介して係止部材２９を付勢体に抗して逃げ穴２２に没入させることにより、この係止部材２９を係止溝１５から外して、バンド連結部１１からのバンド３の取外しを可能とすることができる。そして、操作部２６への操作力を解放することにより、付勢体の付勢力で係止部材２９を突出させて係止溝１５に入り込ませて、バンド連結部１１にバンド３を取付けることができる。
【００４９】
又、本発明において、係止部材２９の縁を先細とすることに代えて、係止溝１５をその開口端から奥に向かうに従い次第に狭めるとともに、係止溝１５の開口端の高さ寸法よりも係止部材２９の厚みを狭くすることも可能である。
【００５０】
又、バンド連結部１１のカバー部位１１ｃは、互いに嵌合された連結溝１２と嵌合部２１とを、バンド連結部１１の裏面側から覆うように設けてもよい。この場合、腕時計１を裏返しにすることなくバンド３を着脱することができる。
【図面の簡単な説明】
【００５１】
【図１】本発明の第１実施形態に係る腕時計を示す平面図。
【図２】図１の腕時計のバンド連結部まわりを示す平面図。
【図３】図１の腕時計のバンド連結部まわりを連結状態で示す裏面図。
【図４】図３中Ｆ４−Ｆ４線に沿って示す断面図。
【図５】図１の腕時計のバンド連結部まわりを連結解除状態で示す裏面図。
【図６】図５中Ｆ６−６線に沿って示す断面図。
【図７】本発明の第２実施形態に係る腕時計のバンド連結部まわりを連結状態で示す裏面図。
【符号の説明】
【００５２】
１…腕時計
２…時計外装組立
３…バンド
３Ａ…バンド駒
１１…バンド連結部
１１ａ…バンド連結部の裏面
１１ｂ…バンド連結部の端面
１１ｃ…バンド連結部のカバー部位
１２…連結溝
１５…係止溝
２１…嵌合部
２１ｂ、２１ｃ…嵌合部の対向面
２２…逃げ穴
２５…係脱操作体
２６…操作部
２６ａ…操作部の溝
２７…軸
２９…係止部材
２９ａ…係止部材の縁
【図１】
2005265754.tif 000003
【図２】
2005265754.tif 000004
【図３】
2005265754.tif 000005
【図４】
2005265754.tif 000006
【図５】
2005265754.tif 000007
【図６】
2005265754.tif 000008
【図７】
2005265754.tif 000009